(57)【要約】      （修正有）【課題】針棒に対して針をワンタッチで着脱可能とした針着脱装置を備えたミシンを提供する。【解決手段】案内溝１２を有する針棒１と、垂直固定溝３２を有するジョイント部材Ａと、針保持部５と円筒部６と係止ピン７とを有する針止めＢとを備えること。ジョイント部材Ａの垂直固定溝３２は、水平案内溝１２ｂと直交する位置に配置される。針止めＢの係止ピン７は、ジョイント部材Ａを押し上げて垂直案内溝１２ａに挿入且つ周方向の回転にて水平案内溝１２ｂを移動し垂直固定溝位置３２に到達するとジョイント部材Ａは下降し、係止ピン７は垂直固定溝３２と水平案内溝１２ｂにて位置決め固定される。【選択図】図１
0003207551.tif 000002
【実用新案登録請求の範囲】
【請求項１】
針を装着して上下動する中空状の針棒の下方外周に形成された下端に向けて開口する垂直案内溝と該垂直案内溝に連続する水平案内溝とからなる案内溝と、下端に向けて開口する垂直固定溝を有し且つ前記針棒の下端近傍に周方向に回転が規制され且つ上下方向に移動可能に装着されるジョイント部材と、針保持部と該針保持部の上部に形成されて前記針棒下端に嵌装する円筒部と該円筒部の軸心と直交する方向で外周に突出する係止ピンとを有する針止めとを備え、前記ジョイント部材の前記垂直固定溝は、前記水平案内溝と直交する位置に配置され、前記針止めの前記係止ピンは前記ジョイント部材を押し上げて前記垂直案内溝に挿入し、周方向の回転にて前記水平案内溝を移動して前記垂直固定溝位置に到達すると前記ジョイント部材は下降し、前記係止ピンは前記垂直固定溝と前記水平案内溝にて位置決め固定されてなることを特徴とする針着脱装置を備えたミシン。
【請求項２】
針を装着して上下動する中空状の針棒の下方外周に形成された下端に向けて開口する垂直案内溝と該垂直案内溝に連続する水平案内溝とからなる案内溝と、前記針棒の中空部に収納されるバネと、前記針棒が摺動する摺動孔を有し且つ周壁に下端に向けて開口する垂直固定溝が形成された筒状部と該筒状部の上下方向の摺動と回動を規制するための固定ピンとからなるジョイント部材と、針を保持する針保持部と該針保持部の上部に形成されて前記針棒下端に嵌装する円筒部と該円筒部の軸心と直交する方向で外周に突出する係止ピンとを有する針止めとを備え、前記針棒の下端が前記ジョイント部材の前記摺動孔に挿入され且つ前記固定ピンは前記針棒下端付近に設けられた上下方向に延在する長孔に貫通し、前記ジョイント部材は前記長孔の範囲において上下動可能とする共に、前記固定ピンを介して前記バネにより下方に弾性付勢され、前記針止めの係止ピンは前記水平案内孔溝と垂直固定溝とによって位置決めされる構成としてなることを特徴とする針着脱装置を備えたミシン。
【請求項３】
前記針止めの前記円筒部の頂部には直径方向に沿って軸挿入溝が形成され、適正な装着状態で、前記ジョイント部材の前記固定ピンが前記軸挿入溝に挿入する構成としてなることを特徴とする請求項２に記載の針着脱装置を備えたミシン。
【請求項４】
前記ジョイント部材には摘みを備えたことを特徴とする請求項１，２又は３の何れか１項に記載の針着脱装置を備えたミシン。
【考案の詳細な説明】
【技術分野】
【０００１】
本考案は、家庭用ミシンにおいて、針棒に対して針をワンタッチで着脱可能とした針着脱装置を備えたミシンに関する。
【背景技術】
【０００２】
従来、家庭用ミシンにおいて、針棒に対して針は着脱自在で、縫製される生地の種類或いは縫いパターン等によって、針を交換する必要がある。その針の交換手段の一般的なものとして、針棒に内螺子が形成され、該内螺子に螺合するビス，螺子部材等を介して針が着脱自在に装着されるものであった。
【先行技術文献】
【特許文献】
【０００３】
【特許文献１】特開昭６３−２２８７７号公報
【特許文献２】特開昭６３−３０９７７号公報
【考案の概要】
【考案が解決しようとする課題】
【０００４】
ところが、このように針棒に針を装着するためにビス又は螺子が使用される構造では、その着脱作業においてドライバ等の工具が必要となる。また、部品も多くなり、特にビスや螺子等は細かい部品なので、紛失するおそれもある。また、針棒への針の装着作業も面倒である。
【０００５】
このようなことから、針棒に対して針を簡易且つ迅速に装着することができるものが開発されている。この種のものとして、特許文献１及び特許文献２が存在する。まず、特許文献１では、ミシン針(10)が針シャンクアダプター(30)に保持された状態で、針棒(20)の保持孔(22)に溝状切欠部をおおむね係合ピン(23)側に合わせて針シャンクアダプター(30)の上端部を挿入し、溝状切欠部と係合ピン(23)とにより針シャンクアダプター(30)を針棒(20)に結合させる構造である。
【０００６】
ピン付勢部材(25)は、リング上で係合ピン(23)と当接するテーパ面を持つとともに針棒糸掛け孔を保持する。ミシン針と針シャンクアダプターは、一体化されている。針シャンクアダプターは、針棒に挿人されたときに挿入停止位置を決定するストツパー部を持つ。特許文献１では、ミシン針(10)が針シャンクアダプター(30)に保持された状態で、針棒(20)の保持孔(22)に案内突起(341)を案内溝で案内しつつ針シャンクアダプターの上端部を挿入し、ネック部と係合ピンとにより針シャンクアダプター(30)を針棒に結合させる構造である。
【０００７】
針シャンクアダプター(30)は、ネック部(331)から保持孔(22)入口端部に向かって外径が次第に大きくなるテーパ外周面をもつ。ミシン針(10)と針シャンクアダプター(30)は一体的に固定されている。針シャンクアダプター(30)はくびれネック部(331)と、ネック部(331)と接合する個の係合ピン(27)と、係合ピン(27)を中心方向に付勢し切欠部を持つリング状の板バネ(28)とから構成される。
【０００８】
特許文献１では、係合ピン(23)のみで回転方向を付勢しており、回転方向に対して容易に回転してしまう構造上の問題がある。針シャンクアダプター（30）を保持する係合ピン（23）を付勢させる、リング状の付勢部材（25）に針棒糸掛け孔を持っていることで、針孔との位置関係が容易にずれてしまう構造上の問題がある。
【０００９】
リング状の付勢部材(25)と係合ピン(23)が当接するテーパ面で係合ピン(23)が保持孔(22)に移動してしまい、針シャンクアダプター(30)が取り付けられない状況となる可能性がある。また、針シャンクアダプター(30)が針棒に確実に固定されたかを確認することができない構造上の問題が存在する。
【００１０】
特許文献２では、係合ピン(27)をリング状の板バネ（28）で中心方向に付勢し、ネック部（331）に係合ピン（27）を押し付ける構造となっており、板バネ(28）の力のみで針シャンクアダプター(30)を固定している為、針が布に刺さった状態で糸絡まりを起こすと、針シャンクアダプター(30)が外れてしまう可能性がある。また、針シャンクアダプター(30)が外れた状態で、ミシンが動いてしまう可能性がある。ロック機構が働く場合はミシンが停止するが針シャンクアダプター（30）が外れた場合はロック機構が働かない可能性があり、安全性に問題がある。
【００１１】
そこで、本考案の目的（解決しようとする技術的課題）は、針棒に対して針を略ワンタッチで着脱可能とし、且つミシンの稼動時の振動に対しても十分に耐え得るミシンの針着脱装置を提供することにある。
【課題を解決するための手段】
【００１２】
そこで、考案者は、上記課題を解決すべく、鋭意，研究を重ねた結果、請求項１の考案を、針を装着して上下動する中空状の針棒の下方外周に形成された下端に向けて開口する垂直案内溝と該垂直案内溝に連続する水平案内溝とからなる案内溝と、下端に向けて開口する垂直固定溝を有し且つ前記針棒の下端近傍に周方向に回転が規制され且つ上下方向に移動可能に装着されるジョイント部材と、針保持部と該針保持部の上部に形成されて前記針棒下端に嵌装する円筒部と該円筒部の軸心と直交する方向で外周に突出する係止ピンとを有する針止めとを備え、前記ジョイント部材の前記垂直固定溝は、前記水平案内溝と直交する位置に配置され、前記針止めの前記係止ピンは前記ジョイント部材を押し上げて前記垂直案内溝に挿入し、周方向の回転にて前記水平案内溝を移動して前記垂直固定溝位置に到達すると前記ジョイント部材は下降し、前記係止ピンは前記垂直固定溝と前記水平案内溝にて位置決め固定されてなる針着脱装置を備えたミシンとしたことにより、上記課題を解決した。
【００１３】
請求項２の考案を、針を装着して上下動する中空状の針棒の下方外周に形成された下端に向けて開口する垂直案内溝と該垂直案内溝に連続する水平案内溝とからなる案内溝と、前記針棒の中空部に収納されるバネと、前記針棒が摺動する摺動孔を有し且つ周壁に下端に向けて開口する垂直固定溝が形成された筒状部と該筒状部の上下方向の摺動と回動を規制するための固定ピンとからなるジョイント部材と、針を保持する針保持部と該針保持部の上部に形成されて前記針棒下端に嵌装する円筒部と該円筒部の軸心と直交する方向で外周に突出する係止ピンとを有する針止めとを備え、前記針棒の下端が前記ジョイント部材の前記摺動孔に挿入され且つ前記固定ピンは前記針棒下端付近に設けられた上下方向に延在する長孔に貫通し、前記ジョイント部材は前記長孔の範囲において上下動可能とする共に、前記固定ピンを介して前記バネにより下方に弾性付勢され、前記針止めの係止ピンは前記水平案内孔溝と垂直固定溝とによって位置決めされる構成としてなる針着脱装置を備えたミシンとしたことにより、上記課題を解決した。
【００１４】
請求項３の考案を、前記針止めの前記円筒部の頂部には直径方向に沿って軸挿入溝が形成され、適正な装着状態で、前記ジョイント部材の前記固定ピンが前記軸挿入溝に挿入する構成としてなる請求項２に記載の針着脱装置を備えたミシンとしたことにより、上記課題を解決した。請求項４の考案を、前記ジョイント部材には摘みを備えた請求項１，２又は３の何れか１項に記載の針着脱装置を備えたミシンとしたことにより、上記課題を解決した。
【考案の効果】
【００１５】
請求項１及び請求項２の考案では、針棒の下端付近に装着されたジョイント部材に対して、針止めを上方に向かって押し付けるようにすることで、係止ピンがジョイント部材を押し上げつつ、針棒の下端に形成された垂直案内溝に前記係止ピンが挿入し、該垂直案内溝の上端箇所で前記針止めを周方向に回転させることで、係止ピンはジョイント部材の垂直固定溝の位置に到達する。
【００１６】
そこで、バネにて下方に弾性付勢されているジョイント部材は下降して、前記係止ピンが針棒の水平案内溝と、ジョイント部材の垂直固定溝とで略十字状となるように包囲され、これによって針止めが針棒にジョイント部材を介して固定される。このように、本考案では、針止めを針棒の下端よりジョイント部材を上昇させるように押し上げ、次いで周方向に回転させるのみで、針止めを針棒に極めて簡単に装着することができる。
【００１７】
また、針止めは、針棒に対してその装着状態が、水平状の水平案内溝と、垂直状の垂直固定溝とが交差してその中心に係止ピンが存在し、且つジョイント部材はバネにて下方に弾性付勢されるので、簡単な構成で且つ簡単な作業でありながら係止ピンは針棒及びジョイント部材の両方に極めて強固に固定されるものである。特に、請求項２では、針棒に対するジョイント部材の下方への弾性付勢をバネにて行うものであり、該バネは針棒内に収納されるため、針棒及びその周辺の構成を簡潔なものとすることができる。
【００１８】
請求項３の考案では、前記針止めの前記円筒部の頂部には直径方向に沿って軸挿入溝が形成され、適正な装着状態で、前記ジョイント部材の前記固定ピンが前記軸挿入溝に挿入する構成としたことにより、針止めは、係止ピンに加えて固定ピンによっても周方向における回転を防止し、より一層強固なが針止めの針棒への装着にすることができる。請求項４の考案では、前記ジョイント部材には摘みを備えたことにより、針棒に装着した針止めを取り外す場合には、ジョイント部材を一旦上方に押し上げるものであるが、このとき摘みを指でつまんで持ち上げることができ、作業の効率及び安全性を有することができる。
【図面の簡単な説明】
【００１９】
【図１】（Ａ）は本考案において針棒にジョイント部材を介して針止めが装着された状態の側面図、（Ｂ）は（Ａ）の（α）部拡大図、（Ｃ）は（Ｂ）の針棒と針止めとを分離した状態図、（Ｄ）は針棒からジョイント部材を外した状態の要部拡大断面図、（Ｅ）は別の構造とした針棒からジョイント部材を外した状態の要部拡大断面図である。
【図２】（Ａ）は本考案において針棒にジョイント部材を介して針止めが装着された状態の要部拡大斜視図、（Ｂ）針棒とジョイント部材と針止めとを分離した状態の要部拡大斜視図、（Ｃ）は針棒の下端部分を示す拡大斜視図、（Ｄ）はジョイント部材の下方より見た拡大斜視図。
【図３】（Ａ）は本考案において針棒にジョイント部材を介して針止めが装着された状態の一部断面にした拡大図、（Ｂ）は針棒に針止めを取り付けようとする状態の一部断面にした拡大図、（Ｃ）は（Ａ）のＹ1−Ｙ1矢視断面図である。
【図４】（Ａ）は本考案において針棒とジョイント部材との構成を示す拡大断面図、（Ｂ）は（Ａ）のＸ1−Ｘ1矢視断面図、（Ｃ）は（Ａ）のＸ2−Ｘ2矢視断面図。
【図５】（Ａ）乃至（Ｅ）は針棒に針止めを装着する行程図である。
【考案を実施するための形態】
【００２０】
以下、本考案の実施形態を図面に基づいて説明する。本考案は、図１に示すように、主に針棒１と、バネ２と、ジョイント部材Ａ及び針止めＢによって構成されている。針棒１は、ミシンに垂直状に装着され、その下方側に中空部１１が設けられている〔図１(Ｄ），図３等参照〕。該中空部１１の下端は開口１１ａとして形成されている。
【００２１】
中空部１１は、針棒１の軸方向全体に亘って形成されるものではなく、下方部分に形成される〔図１（Ｄ）及び図３参照）。また、針棒１の軸方向全体に亘って管状とし、特に下方部分のみを大径の中空部１１としてもよい。中空部１１には、後述するバネ２が収納される〔図１（Ｄ）及び図３等参照）。
【００２２】
または、中空軸の針棒１でもよい。中空軸とした針棒１の下端近傍において保持ピン８を軸心に直交するように設けることで、針棒１に内装したバネ２の上端位置を決めることが可能である〔図１（Ｅ）参照〕。さらに、バネ２の上端部分を前記保持ピン８に係止し、針棒１から落下しないようにすることもできる。
【００２３】
針棒１の下端には、案内溝１２が対向する位置に形成されている〔図２（Ｃ），図４（Ａ），（Ｃ）参照〕。案内溝１２は、垂直案内溝１２ａと、水平案内溝１２ｂとから構成され、垂直案内溝１２ａは、下端が針棒１の下端と一致し開放されている。水平案内溝１２ｂは、水平状の溝で、前記垂直案内溝１２ａの上端と連通している。二つの案内溝１２，１２は、両垂直案内溝１２ａの上端より連続して、周方向に沿って同一方向にそれぞれの水平案内溝１２ｂ，１２ｂが延在形成されている〔図２(Ｃ)，図４（Ｃ）参照〕。
【００２４】
針棒１の下方には対向して長孔１３，１３が形成されている。長孔１３は、針棒１の軸方向に延在する孔であり、前記中空部１１の形成範囲内に形成される。両長孔１３，１３には、後述する固定ピン４をジョイント部材Ａの筒状部３を介して挿入し、長孔１３，１３に沿って上下動する〔図２（Ｂ），図３，図４（Ａ），（Ｂ）参照〕。
【００２５】
前記中空部１１には、バネ２が収納される。バネ２は、具体的にはコイルバネが使用される〔図１，図２（Ａ），（Ｂ），図３等参照〕。バネ２は、中空部１１の形成されている範囲内で弾性的に伸縮するものであり、バネ２の上端は中空部１１の段差形状とした上端で固定される。或いはバネ２の上端は、前述した前記保持ピン８にて固定しても良い。バネ２は、前記固定ピン４を常時下方に向かって弾性付勢する。
【００２６】
ジョイント部材Ａは、主に筒状部３と、固定ピン４とから構成される。筒状部３は、円筒環形状をなし、その中心に摺動孔３１が形成されている〔図２（Ｂ），（Ｄ）参照〕。該摺動孔３１は、前記針棒１が挿入することができ、且つ筒状部３が針棒１に対して円滑に摺動することができる。
【００２７】
筒状部３には、対向して垂直固定溝３２，３２が形成されている〔図２(Ｄ)参照〕。両該垂直固定溝３２，３２は、筒状部３の下端に向けて開放されている。さらに、筒状部３には固定ピン４が貫通するピン貫通孔３３,３３が形成されている〔図２(Ｂ)，（Ｄ），図４（Ｂ）参照〕。
【００２８】
また、筒状部３には摘み部３４が形成されている。摘み部３４は、前記筒状部３の外周より、外方に向かって板片状に形成された部位である。摘み部３４は、作業員の指先でつまむことができる程度の大きさである。また、摘み部３４の形状として、特に図示しないが筒状部３の下端より円板状に外方に突出する鍔状としたものも存在する。
【００２９】
ジョイント部材Ａは、筒状部３の摺動孔３１に針棒１を挿入し、固定ピン４を針棒１の長孔１３，１３及び筒状部３のピン貫通孔３３,３３に挿通する〔図４（Ａ），(Ｂ)参照〕。ここで固定ピン４は前記ピン貫通孔３３,３３に対しては圧入等の固定手段にて固定され、長孔１３，１３に対しては、円滑に上下方向に往復移動可能に遊挿状態とされる。
【００３０】
固定ピン４は、針棒１の中空部１１に収納されたバネ２の弾性力によって常時下方に弾性付勢される。固定ピン４は、針棒１の両長孔１３，１３の下端で停止した状態であり、固定ピン４と共にジョイント部材Ａは針棒１の下端箇所に停止した状態となる。このとき、針棒１の下端位置と、筒状部３の下端位置とは一致或いは略一致することが好ましい。
【００３１】
ジョイント部材Ａは、固定ピン４と、針棒１の長孔１３，１３によって周方向に回動が規制される〔図４(Ｂ)参照〕。そして、固定ピン４が長孔１３，１３を上下動する範囲において、ジョイント部材Ａは上下動することができる。そして、垂直固定溝３２，３２は、水平案内溝１２ｂ，１２ｂと直交する位置に配置する。好ましくは、垂直固定溝３２，３２は、水平案内溝１２ｂ，１２ｂの終端位置と重なるものであることが好ましい。
【００３２】
次に、針止めＢは、主に針保持部５と、円筒部６と、係止ピン７とから構成されている（図２，図３参照）。針保持部５は、保持筐体５１と締付部５２とから構成される。保持筐体５１は、略直方体状に形成され、針９を保持する役目をなす部位である。締付部５２は、保持筐体５１に保持された針９を固定する役目をなすものである。締付部５２は、ビス等を備え、保持筐体５１内に挿入された針９の頭部を押え付けて固定するものである。
【００３３】
針保持部５の保持筐体５１の上部には、円筒部６が形成されている。該円筒部６は、前記針棒１の開口１１ａから中空部１１内へ挿入する部位である。したがって、円筒部６が中空部１１に挿入された状態で針止めＢにガタツキが生じない程度に、円筒部６の外径と中空部１１の内径が設定される。
【００３４】
また、円筒部６には、その外周面から対向して突出する係止ピン７が設けられている。係止ピン７は、円筒部６の直径方向に貫通し、前記係止ピン７の両端部分が円筒部６の外周面より突出する構成であっても良い〔図２（Ｂ）参照〕。さらに円筒部６の頂部６ａには、直径方向に沿って軸挿入溝６１が形成されている〔図２（Ｂ），図３（Ｃ）参照〕。
【００３５】
該軸挿入溝６１には、前記固定ピン４が水平方向で挿入できる溝となっている〔図２（Ｂ），図３（Ｃ）参照〕。軸挿入溝６１と円筒部６に貫通する係止ピン７は直角に交わる状態となっている。係止ピン７は、その両端が、針棒１のジョイント部材Ａの両垂直固定溝３２，３２に架かる程度の長さを有している。
【００３６】
次に、本考案において、針止めＢを針棒１に対して着脱する行程について説明する（図５参照）。まず、針止めＢを針棒１に装着する行程を説明する。ジョイント部材Ａの摘み部３４を指先で持ち上げ、ジョイント部材Ａを針止めＢに対して上昇させる。ジョイント部材Ａが上昇すると、針棒１の下端付近の案内溝１２，１２が外部に露出する〔図５（Ａ），（Ｂ）参照〕。
【００３７】
そして、このとき案内溝１２の垂直案内溝１２ａを目視しながら、針止めＢの係止ピン７を垂直案内溝１２ａの下端開放箇所から挿入しつつ、同時に円筒部６を針棒１の中空部１１に挿入する〔図５（Ｂ），（Ｃ）参照〕。そして針止めＢを針棒１に沿って上昇させると、係止ピン７が垂直案内溝１２ａ，１２ａの上端に到達する。垂直案内溝１２ａ，１２ａは、その上端が水平案内溝１２ｂ，１２ｂに連通しているので、針止めＢを水平案内溝１２ｂ，１２ｂの延在する方向に回転させることができる〔図５（Ｄ）参照〕。
【００３８】
針止めＢを水平案内溝１２ｂ，１２ｂに沿って回転させることで、係止ピン７の両端が水平案内溝１２ｂ，１２ｂのそれぞれの終端に到達する。このとき、係止ピン７の両端は、ジョイント部材Ａの垂直固定溝３２，３２の位置に到達している。この時、固定ピン４が円筒部６の軸挿入溝６１に挿入される位置にあるので、そのままジョイント部材Ａを下降させることができ、固定ピン４が円筒部６の軸挿入溝６１に挿入されると針止めＢの周方向の回動を不可能にすると共に、係止ピン７の両端に両垂直固定溝３２，３２が被さるようにして係止される。このとき、係止ピン７の端部は、垂直固定溝３２と水平案内溝１２ｂとで係止された状態となる〔図５（Ｅ）参照〕。
【００３９】
また、針止めＢは、係止ピン７の両端を針棒１の垂直案内溝１２ａ，１２ａに挿入させ、そのまま上昇させることにより、円筒部６が固定ピン４を押し上げることになりジョイント部材Ａも上昇させることができる。そして、係止ピン７が水平案内溝１２ｂ，１２ｂの位置に到達したら、針止めＢを所定方向に回転させることで、係止ピン７の両端がジョイント部材Ａの垂直固定溝３２，３２の位置に到達する。
【００４０】
この時、固定ピン４が円筒部６の軸挿入溝６１に挿入される位置にあるので、そのままジョイント部材Ａを下降させることができ、固定ピン４が円筒部６の軸挿入溝６１に挿入されると針止めＢの回転方向の位置が決まり、該垂直固定溝３２，３２はそのまま下方に下降して、係止ピン７の両端に係止することができる。
【００４１】
次に、針棒１から針止めＢを取り外す方法について述べる。ジョイント部材Ａの摘み部３４を指先でつまみ、上方に押し上げるとジョイント部材Ａが針棒１に沿って上昇する。ここで、固定ピン４はジョイント部材Ａと共に上昇し、針止めＢの周方向における回転を不可能としていた固定ピン４が円筒部６の軸挿入溝６１から外れる。また、ジョイント部材Ａの垂直固定溝３２，３２も上昇するので、係止ピン７が垂直固定溝３２，３２から外れる。これによって針止めＢは周方向における回転が可能となる。
【００４２】
ただし、針止めＢの係止ピン７は、針棒１の両案内溝１２，１２の水平案内溝１２ｂ，１２ｂによって、垂直方向に規制された状態であるが、水平案内溝１２ｂにおいては、水平方向への移動規制はないので、針止めＢは周方向に回転移動できる。そして、係止ピン７の位置が垂直案内溝１２ａ，１２aの位置に到達すると、係止ピン７と共に針止めＢを下方に移動させると、係止ピン７が垂直案内溝１２ａ，１２ａから外れ、針止めＢを針棒１から取り外すことができる。
【符号の説明】
【００４３】
１…針棒、１１…中空部、１２…案内溝、１２ａ…垂直案内溝、
１２ｂ…水平案内孔溝、２…バネ、Ａ…ジョイント部材、３…筒状部、３１…摺動孔、
３２…垂直固定溝、４…固定ピン、Ｂ…針止め、５…針保持部、６…円筒部、
６ａ…頂部、６１…軸挿入溝、７…係止ピン。
【図１】
0003207551.tif 000003
【図２】
0003207551.tif 000004
【図３】
0003207551.tif 000005
【図４】
0003207551.tif 000006
【図５】
0003207551.tif 000007